(57)【要約】【課題】多種多様な背景を有する撮影画像を取得できる写真プリントシステムを提供する。【解決手段】写真プリントシステム１０は、被写体の撮影を行なう撮影装置１５と、該撮影に基づいて画像を作成してプリント紙に出力するプリント出力装置１８とを備え、さらに、被写体の背景となる背景装置３２と、撮影装置１５に対する近接離反方向に移動可能に背景装置３２を支持する背景支持用レール３１・３１を備えている。【選択図】　図１
2004061773.tif 000002
【特許請求の範囲】
【請求項１】
被写体の撮影を行なう撮影手段と、該撮影に基づいて画像を作成してプリント紙に出力する画像出力手段とを備える写真プリントシステムにおいて、
被写体の背景となる背景手段と、
該背景手段を、上記撮影手段に対する近接離反方向に移動可能に支持する背景支持手段とを備えることを特徴とする写真プリントシステム。
【請求項２】
上記背景支持手段は、上記背景手段を、上記近接離反方向に対し垂直または所定の角度をなすように保持することを特徴とする請求項１に記載の写真プリントシステム。
【請求項３】
上記背景支持手段は、上記背景手段を複数の支持位置にて屈曲可能に支持することを特徴とする請求項１に記載の写真プリントシステム。
【請求項４】
上記背景手段を上記近接離反方向に移動させる背景移動手段をさらに備えることを特徴とする請求項１ないし３の何れか１項に記載の写真プリントシステム。
【請求項５】
上記背景手段の位置を検出する背景位置検出手段をさらに備えることを特徴とする請求項１ないし４の何れか１項に記載の写真プリントシステム。
【請求項６】
上記被写体の位置を検出する被写体位置検出手段をさらに備えることを特徴とする請求項４または５に記載の写真プリントシステム。
【請求項７】
被写体の撮影を行なう撮影手段と、該撮影に基づいて画像を作成してプリント紙に出力する画像出力手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、
上記撮影手段による撮影時に上記背景手段を上記近接離反方向に移動させるように上記背景移動手段を制御することを特徴とする写真プリントシステムの制御方法。
【請求項８】
被写体の撮影を行なう撮影手段と、該撮影に基づいて画像を作成してプリント紙に出力する画像出力手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、
上記被写体の位置または利用者の選択に基づいて上記背景手段の配置位置を決定し、
決定された配置位置に上記背景手段を移動するように上記背景移動手段を制御することを特徴とする写真プリントシステムの制御方法。
【請求項９】
被写体の撮影を行なう撮影手段と、該撮影に基づいて画像を作成してプリント紙に出力する画像出力手段と、該撮影を行なう時に被写体を照射する照明手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、
上記背景手段の位置が決定されると、上記撮影手段および上記背景手段の距離に基づいて、上記撮影手段の露光に関する設定、および／または上記照明手段の照明設定を変更するように制御することを特徴とする写真プリントシステムの制御方法。
【請求項１０】
請求項７ないし９の何れか１項に記載の写真プリントシステムの制御方法をコンピュータに実行させるための写真プリントシステムの制御プログラム。
【請求項１１】
請求項１０に記載の写真プリントシステムの制御プログラムを記録したコンピュータ読取り可能な記録媒体。
【請求項１２】
請求項１ないし６のいずれか１項に記載の写真プリントシステムに用いられるプリント紙ユニットであって、
画像が印刷されるプリント紙と、上記プリント紙に関する識別情報を記録する識別媒体とを備え、
上記写真プリントシステムに備えられた識別情報読取手段によって、上記識別媒体に記録されている識別情報が読み取られ、その内容が確認された上で上記プリント紙に画像が出力されることを特徴とするプリント紙ユニット。
【発明の詳細な説明】
【０００１】
【発明の属する技術分野】
本発明は、被写体を撮影するとともに、該撮影により取得された画像に基づき、所望の場合には該画像に編集処理を施した上で、シール紙などのプリント紙にプリント出力する写真プリントシステム、該システムの制御方法および制御プログラム、該プログラムを記録した記録媒体、ならびにプリント紙ユニットに関するものである。
【０００２】
【従来の技術】
従来の写真プリントシステムとしては、撮影装置の前方の空間であって、撮影が行なわれる撮影空間の後方にカーテンを配置し、該カーテンを背景として被写体の撮影を行なうシステムが知られている。
【０００３】
また、色彩や模様の異なる複数枚のカーテンを撮影空間の後方に配置し、利用者により選択されたカーテンを背景として被写体の撮影を行なうシステムが知られており、例えば、実用新案登録第３０４７９１０号（公報発行日：平成１０年（１９９８）４月２８日）に開示されている。
【０００４】
また、別々の背景となる複数の絵柄が描かれた無端ベルト状またはロール状のスクリーンを撮影空間の後方に配置し、利用者により選択されたスクリーンの絵柄を背景として被写体の撮影を行なうシステムが知られており、例えば、特開２０００−２６７１６２号（公開日：２０００年９月２９日）に開示されている。
【０００５】
また、従来の写真プリントシステムとしては、該システム内部に種々の画像データを記憶しておき、利用者により選択された画像データを、撮影装置によって取得された撮影画像と合成し、合成された画像をプリント出力するシステムが知られている。
【０００６】
このようなシステムにおいて、画像データを撮影画像の背景として合成する方法としては、撮影画像から画像抽出技術により画像の被写体領域を抽出し、抽出した画像と前記画像データとを合成するマスク合成方法や、撮影画像における特定の色を透明化して、前記画像データと合成するクロマキー合成方法が知られている。
【０００７】
【発明が解決しようとする課題】
写真プリントシステムの利用者は、多種多様なプリント画像を取得することを所望しており、このため、写真撮影により多種多様な撮影画像を取得することを所望している。
【０００８】
本発明は上記の問題点を解決するためになされたもので、その目的は、さらに多種多様な背景を有する撮影画像を取得できる写真プリントシステムを提供することにある。
【０００９】
【課題を解決するための手段】
上記の課題を解決するために、本発明の写真プリントシステムは、被写体の撮影を行なう撮影手段と、該撮影に基づいて画像を作成してプリント紙に出力する画像出力手段とを備える写真プリントシステムにおいて、被写体の背景となる背景手段と、該背景手段を、上記撮影手段に対する近接離反方向に移動可能に支持する背景支持手段とを備えることを特徴としている。
【００１０】
ここで、背景手段としては、前述のような複数のカーテンや無端ベルト状またはロール状のスクリーンなど、被写体の背景となる公知の背景手段を利用することができる。また、本願出願人が平成１４年４月２６日に出願した特許出願（特願２００２−１２７４９５号）の明細書および図面に記載した背景表示手段、すなわち、発光素子や、光源および光変調素子を利用して、背景となる画像を被写体の後方に表示する背景表示手段を利用することができる。
【００１１】
上記の構成によると、背景手段は、背景支持手段によって、撮影手段に対する近接離反方向に移動可能に支持されている。背景手段を撮影手段に近づけると、模様を有する背景手段であれば、該模様の寸法が大きく撮影されることになる。また、被写体に光を照射する照明手段に近づくことになるから、背景手段の背景が明るく撮影されることになる。また、被写体に近づくことになるから、背景手段からの反射光により、被写体が明るく撮影されることになる。
【００１２】
一方、背景手段を撮影手段から遠ざけると、模様を有する背景手段であれば、該模様の寸法が小さく撮影されることになる。また、被写体に光を照射する照明手段から遠ざかることになるから、背景手段の背景が暗く撮影されることになる。
【００１３】
したがって、背景手段を上記近接離反方向に移動することにより、従来に比べてさらに多種多様な撮影画像を取得することができる。
【００１４】
さらに、本発明の写真プリントシステムは、上記の構成において、上記背景支持手段は、上記背景手段を、上記近接離反方向に対し垂直または所定の角度をなすように保持することを特徴としている。
【００１５】
上記の構成によると、背景手段を上記近接離反方向に移動させても、背景手段と、近接離反方向とのなす角度が保持されるから、背景手段の背景の絵柄が歪むことを防止できる。
【００１６】
さらに、本発明の写真プリントシステムは、上記の構成において、上記背景支持手段は、上記背景手段を複数の支持位置にて屈曲可能に支持することを特徴としている。
【００１７】
上記の構成によると、背景手段の背景を支持位置にて上記近接離反方向に屈曲させることにより、背景手段の背景の絵柄を歪ませることができるから、被写体の背景をさらに多種多様に変えることができる。
【００１８】
さらに、本発明の写真プリントシステムは、上記の構成において、上記背景手段を上記近接離反方向に移動させる背景移動手段をさらに備えることを特徴としている。
【００１９】
上記の構成によると、背景移動手段が背景手段を近接離反方向に移動させるから、利用者が背景手段を手動で移動させる必要はなくなる。これは、利用者がポーズを取っている撮影時に背景手段を移動させる場合に特に有効である。撮影時に背景手段を近接離反方向に移動させると、前後方向に動きのある背景を表現でき、ダイナミックな背景を有する撮影画像を取得することができる。また、背景手段がシート状または布状のものであれば、背景手段を近接離反方向に振動させると、波打った背景とすることができ、さらに多種多様な撮影画像を取得することができる。
【００２０】
さらに、本発明の写真プリントシステムは、上記の構成において、上記背景手段の位置を検出する背景位置検出手段をさらに備えることを特徴としている。
【００２１】
ところで、前述のように、背景手段が撮影手段に対して近接離反することにより、明るい撮影画像が得られたり、暗い撮影画像が得られたりするが、これの度が過ぎると、見辛い撮影画像となる。
【００２２】
これに対し、上記の構成によると、背景位置検出手段により背景手段の位置を検出することができる。これにより、撮影手段におけるしぼり、シャッタスピードなどの設定や、照明手段における光量などの設定を背景手段の位置に応じて調整することにより、適切な撮影画像を取得することができる。
【００２３】
さらに、本発明の写真プリントシステムは、上記の構成において、上記被写体の位置を検出する被写体位置検出手段をさらに備えることを特徴としている。
【００２４】
上記の構成によると、被写体位置検出手段により被写体の位置を検出することができる。これにより、移動手段を備える場合には、背景手段を被写体に添わせるように移動させることができる。また、背景位置検出手段を備える場合には、背景手段および被写体の手段を検出できるから、さらに適切な撮影画像を取得することができる。
【００２５】
また、本発明の写真プリントシステムの制御方法は、被写体の撮影を行なう撮影手段と、該撮影に基づいて画像を作成してプリント紙に出力する画像出力手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、上記撮影手段による撮影時に上記背景手段を上記近接離反方向に移動させるように背景移動手段を制御することを特徴としている。
【００２６】
上記の方法によると、撮影時に背景手段を近接離反方向に移動させるように背景移動手段を制御している。これにより、前後方向に動きのある背景を表現でき、ダイナミックな背景を有する撮影画像を取得することができる。また、背景手段がシート状または布状のものであれば、背景手段を近接離反方向に振動させると、波打った背景とすることができ、さらに多種多様な撮影画像を取得することができる。
【００２７】
また、本発明の写真プリントシステムの制御方法は、被写体の撮影を行なう撮影手段と、該撮影に基づいて画像を作成してプリント紙に出力する画像出力手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、上記被写体の位置または利用者の選択に基づいて上記背景手段の配置位置を決定し、決定された配置位置に上記背景手段を移動するように上記背景移動手段を制御することを特徴としている。
【００２８】
通常、写真プリントシステムでは、該システムの運用効率を或る一定レベルに保つため、１回の利用時間に制限を課している場合が多い。この場合、利用者が背景手段の配置位置を決めるために時間を費やすと、撮影回数が減ったり、撮影のポーズを決定する時間が減ったり、画像編集を行なう時間が減ったりするなど、他の処理を行なう時間を圧迫することになる。
【００２９】
これに対し、上記の方法によると、被写体の位置または利用者の選択に基づいて背景手段の配置位置を決定し、決定された配置位置に背景手段を移動するように背景移動手段を制御している。これにより、利用者は、被写体の位置を決定したり、簡単な選択を行なったりすることで、背景手段を自動的に配置することができるから、背景手段の配置を迅速に行なうことができる。したがって、撮影処理、画像編集処理など、他の処理を行なう時間を圧迫することを回避することができる。
【００３０】
また、本発明の写真プリントシステムの制御方法は、被写体の撮影を行なう撮影手段と、該撮影に基づいて画像を作成してプリント紙に出力する画像出力手段と、該撮影を行なう時に被写体を照射する照明手段と、被写体の背景となる背景手段と、該背景手段を、上記撮影手段に対する近接離反方向に移動可能に支持する背景支持手段と、上記背景手段を上記近接離反方向に移動させる背景移動手段とを備える写真プリントシステムの制御方法であって、上記背景手段の位置が決定されると、上記撮影手段および上記背景手段の距離に基づいて、上記撮影手段の露光に関する設定、および／または上記照明手段の照明設定を変更するように制御することを特徴としている。
【００３１】
本発明に係る写真プリントシステムでは、背景手段を撮影手段に近づけることができる。このとき、背景手段は、被写体にも近づくことになる。一方、照明手段は、被写体の良好な撮影を行なうために、撮影時に被写体を照射しているが、被写体の位置が必ずしも一定ではないから、被写体が存在する可能性のある範囲に光を照射することになる。このため、背景手段が被写体に近いと、照明手段からの光が背景手段にて反射して撮影手段に到達する量が多くなって、露光過多となる。
【００３２】
これに対し、上記の方法によると、背景手段の位置が決定されると、撮影手段および背景手段の距離に基づいて、撮影手段の露光に関する設定、および／または照明手段の照明設定を変更するように制御している。これにより、背景手段を撮影手段に近づけても、撮影時に撮影手段に入射される光を適切な量とすることができ、良好な撮影を行なうことができる。
【００３３】
なお、上記の写真プリントシステムの制御方法を写真プリントシステムの制御プログラムとしてコンピュータに実行させることができる。さらに、上記写真プリントシステムの制御プログラムをコンピュータ読取り可能な記録媒体に記憶させることにより、任意のコンピュータ上で上記写真プリントシステムの制御方法を実行させることができる。
【００３４】
また、本発明のプリント紙ユニットは、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力されることを特徴としている。
【００３５】
上記の構成によれば、識別情報読取手段で読み取った識別情報に基づいて、装着されたプリント紙が、当該写真プリントシステムにおいて利用可能なものであるかを判定し、利用可能である場合にのみプリンタを動作可能とすることが可能となる。すなわち、写真プリントシステムにおいて指定されているプリント紙以外は使用できないように設定することが可能となる。
【００３６】
また、識別情報に用紙枚数情報を含ませることによって、プリント紙を使用するごとに用紙枚数をカウントダウンすることにより、残りの用紙枚数を把握することが可能となる。よって、残りの用紙枚数が少なくなってきた際に、これを表示手段などによって警告するような構成としておけば、利用者の利用中に用紙切れを起こすというような不具合を回避することが可能となる。
【００３７】
また、識別情報に用紙種類情報を含ませることによって、これらを考慮して画像データの色成分などを補正することにより、その用紙やインクフィルムに的確な画像出力を行なうことが可能となる。
【００３８】
【発明の実施の形態】
〔実施の形態１〕
本発明の一実施形態について図１〜図４に基づいて説明すれば、以下のとおりである。図１は、本実施形態における写真プリントシステムの外観を示している。
【００３９】
本実施形態の写真プリントシステム１０では、長板状の床１２の一端上に本体装置１１が配備され、他端上に支持枠３０が配備される。なお、本願では、本体装置１１が配備される床１２の一端側を「前側」、支持枠３０が配備される他端側を「後側」とする。
【００４０】
本体装置１１および支持枠３０の上部の両側には、背景支持用レール３１・３１が架設され、背景支持用レール３１・３１には、背景装置３２が前後方向に移動可能に支持されている。背景装置３２は、布状の背景カーテン３３と、背景カーテン３３を吊り下げたカーテンレール３４とを備える構成であり、カーテンレール３４が背景支持用レール３１・３１に支持されている。
【００４１】
カーテンレール３４は、背景支持用レール３１・３１によって前後方向に対して垂直または所定の角度で支持されることができる。この場合、背景カーテン３３が前後方向に移動しても、背景カーテン３３の絵柄が歪むことを防止できる。
【００４２】
なお、図１には示していないが、カーテンレール３４を背景支持用レール３１・３１に沿って移動させる背景移動装置が適所に配備されている。背景移動装置を用いてカーテンレール３４が背景支持用レール３１・３１に沿って移動することにより、背景カーテン３３が前後方向、すなわち、撮影装置１５に対して近接離反方向に移動することになる。
【００４３】
また、図１には、１枚の背景カーテン３３と１本のカーテンレール３４のみを示しているが、背景装置３２は、複数枚の背景カーテン３３…と、１または複数本のカーテンレール３４とを備えることが望ましい。
【００４４】
また、図１には示していないが、背景装置３２の前後方向の位置を検出する背景位置検出装置（背景位置検出手段）が適所に配備されることが望ましい。背景位置検出装置の例としては、以下のものが挙げられる。
【００４５】
カーテンレール３４の一端または両端に、背景支持用レール３１に微弱な光を照射するＬＥＤなどの発光素子と、照射された光の反射光を受光する光電センサなどの受光素子とを近接して取り付ける。一方、背景支持用レール３１には、前記発光素子からの光が照射される照射領域に、反射率の高い反射体が、前後方向に所定間隔で設けられる。前記反射体としては、銀のシール紙などが使用される。また、前記照射領域において、反射体が設けられた領域以外の領域は、黒色などの反射率の低い色であることが望ましい。
【００４６】
上記の構成の背景位置検出装置において、利用者によるプレイ開始前に、カーテンレール３４を所定の初期位置（例えば支持枠３０に近接した位置）に移動させておく。この移動のため、カーテンレール３４にワイヤを取り付けるとともに、該ワイヤを巻き取る巻取り装置を支持枠３０に設置して、利用者の撮影処理の終了後にワイヤを巻き取ることで、自動的にカーテンレール３４を前記初期位置に戻す構成とすることが望ましい。
【００４７】
そして、利用者による撮影処理中に利用者がカーテンレール３４を動かすと、カーテンレール３４は、背景支持用レール３１・３１に沿って移動する。このとき、発光素子からの光が背景支持用レール３１の反射体を横切ると、受光素子にて受光する反射光の強度が上昇することにより、反射体の通過を検知することができる。この検知回数と反射体の設置間隔とを乗算することにより、カーテンレール３４の前後方向の移動距離を算出することができ、カーテンレール３４の初期位置を考慮することにより、カーテンレール３４の前後方向の位置を算出することができる。
【００４８】
なお、前記発光素子および受光素子として、フォトカプラを利用することもできる。また、光の反射を利用して物体（反射体）の通過を検知する代わりに、光の遮断の有無を利用して物体の通過を検知することもできる。
【００４９】
また、モータを利用した背景移動装置が配備される場合には、該モータにロータリーエンコーダを取り付けることにより、背景装置３２の位置を検出することもできる。このように、背景装置３２の位置を検出する方法として、公知の位置検出方法を利用することができる。
【００５０】
図２は、本体装置１１の背面の外観を示している。本体装置１１は、図１および図２に示されるように、コイン投入口１４、撮影装置１５、照明装置２２・２２、編集表示パネル１６、およびタッチペン１７が背面に配備され、プリント排出口１９が側面に配備されている。また、本体装置１１の内部には、図３に示されるように、プリント出力装置１８、制御装置２０およびコイン処理装置２５が配備されている。以下、本体装置１１の各構成について説明する。
【００５１】
コイン投入口１４は、利用者が写真プリントシステム１０の利用料金として所定のコインを所定枚数だけ投入するための投入口であり、本体装置１１の背面の適所に配備される。このコイン投入口１４に連通して、コイン処理部２５が本体装置１１の内部に設けられている。
【００５２】
コイン処理部２５は、所定のコインが投入されたか否かを判定する。所定のコインが投入されたと判定した場合には、制御装置２０に通知し、投入されたコインを、コインを蓄積するコイン容器（図示せず）に送り出す。一方、所定のコイン以外のコインが投入されたと判定した場合には、投入されたコインをコイン返却口２３に送り出す。
【００５３】
なお、紙幣やコインを所定のコインに両替する両替機が写真プリントシステム１０の近くに存在しない場合には、新たに紙幣投入口を設けて、紙幣処理部を設けたり、釣銭処理部を設けたりすることが望ましい。
【００５４】
撮影装置１５は、主に利用者を被写体として写真撮影を行なう装置であり、図２に示されるように、上下方向に移動可能であり、かつ上下方向に傾斜可能であるように本体装置１１の背面中央部に配備される。これにより、被写体を様々なアングルから撮影することができる。なお、撮影装置１５の移動や傾斜は、利用者が手動で行なってもよいし、本体装置１１にモータ等の駆動装置を設けて本体装置１１が自動的に行なうようにしてもよい。
【００５５】
また、撮影装置１５には、被写体を撮影する撮影カメラ２４が配備される。撮影カメラ２４は、例えばレンズ群、絞り、ＣＣＤ（Ｃｈａｒｇｅ　Ｃｏｕｐｌｅｄ　Ｄｅｖｉｃｅ）撮像素子などを備えたデジタルカメラによって構成される。この撮影カメラ２４は、全身撮影とクローズアップ撮影との両方に対応できるように、例えば使用するレンズ群および絞りを切り替えられるような構成となっている。
【００５６】
照明装置２２・２２は、撮影時にストロボランプなどの写真閃光灯として機能するとともに、通常時の照明として機能するものである。照明装置２２・２２は、被写体である利用者を照らすために、図２に示されるように、撮影装置１５の両側に配備される。
【００５７】
編集表示パネル１６は、本体装置１１の中央部であって、撮影装置１５の下部に配備される。編集表示パネル１６は、各種画像の表示および各種操作ボタンの表示を行なうものである。編集表示パネル１６は、例えばＬＣＤ（Ｌｉｑｕｉｄ　Ｃｒｙｓｔａｌ　Ｄｉｓｐｌａｙ）などのフラットパネルディスプレイやＣＲＴ（Ｃａｔｈｏｄｅ　Ｒａｙ　Ｔｕｂｅ）などによって構成されるとともに、その表面にタッチパネルが設けられている。
【００５８】
タッチペン１７は、編集表示パネル１６の近くに配備される。タッチペン１７は、編集表示パネル１６におけるタッチパネルを利用して、背景作成、落書きなどの画像描画や、表示されている各種編集ツール、操作ボタンなどの選択を行なうための入力手段である。なお、複数の利用者が容易に編集を行なうようにするために、タッチペン１７を複数本配備したり、編集表示パネル１６を複数個配備したりすることもできる。
【００５９】
プリント出力装置１８は、画像をプリント出力するものであり、本体装置１１の内部に配備される。なお、プリント出力装置１８の構成については後述する。プリント排出口１９は、プリント出力装置１８から出力された写真プリントを本体装置１１の外部に排出するものである。プリント排出口１９は、本体装置１１の両側の何れか一方または両方に配備される。
【００６０】
制御装置２０は、本体装置１１における各種構成と、背景移動装置２６との動作を統括的に制御するものであり、本体装置１１の内部に配備される。なお、各種操作上のガイダンス音声や効果音などを出力するスピーカ２１・２１が本体装置１１の背面の適所に配備される。
【００６１】
なお、図には示していないが、写真プリントシステム１０の周囲および上部は遮蔽幕によって覆われている。この遮蔽幕は、遮光性を有するビニールシートなどから構成されており、撮影時に外部からの光が写真プリントシステム１０の内部に入ることを防止している。これにより、より良好な写真撮影を行なうことが可能となる。
【００６２】
図３は、制御装置２０を中心とした写真プリントシステム１０の構成を示している。制御装置２０は、写真プリントシステム１０内における上述した各種構成の動作を統括的に制御するものである。この制御装置２０は、例えばＰＣベースのコンピュータによって構成される。そして、各種構成の動作制御は、制御プログラムをコンピュータに実行させることによって行なわれる。このプログラムは、例えばＣＤ−ＲＯＭなどのリムーバブルメディアに記録されているものを読み出して使用する形態であってもよいし、ハードディスクなどにインストールされたものを読み出して使用する形態であってもよい。また、この制御装置２０がインターネットなどの通信ネットワークに接続された構成とする場合、この通信ネットワークを介して上記プログラムをダウンロードしてハードディスクなどにインストールして実行する形態なども考えられる。
【００６３】
制御装置２０は、上記したハードディスクなどの不揮発性の記憶装置によって構成される記憶部２７を備える。この記憶部２７に記憶される内容としては、上記した制御プログラム、ＯＳ（Ｏｐｅｒａｔｉｎｇ　Ｓｙｓｔｅｍ）プログラム、およびその他各種プログラム、撮影装置１５における動作設定値、撮影した画像および編集した画像の画像データなどが挙げられる。上記の撮影装置１５における動作設定値としては、装置出荷時やメンテナンス時などに設定されるホワイトバランスの値、撮影画像の明暗などを調整する際の画像処理に関する各種パラメータ値などが挙げられる。
【００６４】
コイン処理装置２５は、前述のように、コイン投入口１４から所定のコインが投入されたと判定すると、制御装置２０に通知するものである。制御装置２０は、コイン処理装置２５からの通知を受け取ると、課金処理を行なう。すなわち、制御装置２０は、コイン処理装置２５からの通知をカウントし、利用者が投入した金額に応じて、利用者に対する各種動作を制御する。
【００６５】
プリント出力装置１８は、プリンタ４２およびＩＤタグリーダ／ライタ４３を備える構成である。このプリント出力装置１８に対して、写真プリントの出力媒体となるプリント紙４４およびＩＤタグ（識別媒体）４５がプリント紙ユニットとしてセットで納入されるようになっている。
【００６６】
プリンタ４２は、出力すべき画像データが制御装置２０から送られてくると、その画像データに基づいてプリント紙４４に印刷するものである。このプリンタ４２としては、例えば昇華型プリンタが用いられる。なお、昇華型プリンタを用いる場合には、プリント紙４４およびＩＤタグ４５に加えて、昇華型用インクフィルムがセットととなって納入されることになる。
【００６７】
ＩＤタグリーダ／ライタ４３は、ＩＤタグ４５に記録されている各種識別情報を読み出して制御装置２０に出力する。ＩＤタグ４５は、メモリ機能を有するＩＣチップなどによって構成されるものである。上記識別情報としては、固有ＩＤ、用紙枚数、用紙種類、および、インク固有の色情報（インクフィルムがセットとなっている場合）などが挙げられる。
【００６８】
制御装置２０は、ＩＤタグリーダ／ライタ４３で読み取った識別情報に基づいて、装着されたプリント紙４４およびインクフィルムが、当該写真プリントシステム１０において利用可能なものであるかを判定し、利用可能である場合にのみプリンタ４２を動作可能とする。すなわち、写真プリントシステム１０において指定されているプリント紙４４およびインクフィルム以外は使用できないように設定されていることになる。
【００６９】
また、ＩＤタグ４５に記録されている用紙枚数情報に基づいて、プリント紙の使用ごとに用紙枚数をカウントダウンしていくことによって、残りの用紙枚数を把握することが可能となる。よって、残りの用紙枚数が少なくなってきた際に、これを表示手段などによって警告するような構成としておけば、利用者１３の利用中に用紙切れを起こすというような不具合を回避することが可能となる。
【００７０】
なお、用紙枚数をカウントダウンする際には、ＩＤタグ４５に記録されている用紙枚数情報も書き換えることが望ましい。これにより、用紙を使い切った場合には、ＩＤタグ４５に記録されている用紙枚数情報も０となり、このＩＤタグ４５を無効にすることが可能となる。
【００７１】
また、ＩＤタグ４５に記録されている用紙種類情報や、インク固有の色情報を読み出すことによって、これらを考慮して画像データの色成分などを補正することにより、そのプリント紙４４やインクフィルムに的確な画像出力を行なうことが可能となる。
【００７２】
ＩＤタグ４５としては、無線（ワイヤレス）によりデータ通信を行なうことが可能な非接触型ＩＤタグと、端子が設けられた接触型ＩＤタグとがあり、ＩＤタグリーダ／ライタ４３としては、これらの何れか一方あるいは両方に対応したものとなる。
【００７３】
なお、上記の例では、利用可能なプリント紙４４であるか否かを確認するために、ＩＤタグ４５を利用しているが、これに限定されるものではなく、例えば、プリント紙４４およびインクフィルムを梱包する梱包材などにプリントされているバーコードなどを利用する構成としてもよい。しかしながら、バーコードを用いる場合には、含めることのできる情報量が少ないことや、例えば用紙枚数のカウントダウンによる情報の書き換えができない、などの問題がある。
【００７４】
なお、上記のプリント紙４４としては、通常の紙状媒体である紙状シートであってもよいし、粘着シートおよび該粘着シールの粘着面に貼り付けられている剥離シートからなるシールシートであってもよい。
【００７５】
上記構成の写真プリントシステム１０において、利用者による撮影から編集、印刷に至るプレイ動作について、図４に基づいて説明する。利用者が写真プリントシステム１０内に進入して、コイン投入口１４から代金としてコインを投入すると、コイン処理装置２５から制御装置２０にコインの投入が通知されることにより課金処理が行なわれる。課金処理が正常に完了したことが確認されると、プレイ動作が開始され、以下の処理が行なわれる。
【００７６】
まず、背景の設定を行なう（ステップＳ１０。以下、単に「Ｓ１０」と記載することがある。他のステップについても同様である。）。すなわち、利用者の希望する絵柄の背景カーテン３３を展開することと、利用者の希望する位置に背景装置３２を移動することとを行なう。これらの操作は、利用者が手動で行なうこともできるし、利用者が編集表示パネル１６に表示されたボタンの操作を行ない、該ボタンの操作に基づいて、制御装置２０が背景移動装置２６を制御することにより、自動的に行なうこともできる。
【００７７】
次に、撮影の設定を行なう（Ｓ１１）。すなわち、全身撮影またはクローズアップ撮影の選択や、撮影アングルの調整が行なわれる。さらに、本実施形態では、背景装置３２の位置に基づいて、撮影時における撮影装置１５の絞りおよびシャッタスピードの調整、照明装置２２の光量の調整を行なうことが望ましい。これにより、撮影装置１５と背景カーテン３３との距離が近すぎて白っぽい撮影画像となることを防止できる。
【００７８】
背景の設定（Ｓ１０）および撮影の設定（Ｓ１１）が終了すると、撮影装置１５が撮影するライブビュー画像を編集表示パネル１６に表示して、表示結果を利用者が確認する（Ｓ１２）。このとき、表示結果に不満足な場合には、ステップＳ１０に戻って上記の処理動作を繰り返す。
【００７９】
一方、表示結果に満足な場合には、利用者は、編集表示パネル１６に表示されるライブビュー画像を見ながら、所望のポーズをとり、所望のタイミングで撮影ボタンを押すと、カウントダウン後に撮影が実行される（Ｓ１３）。
【００８０】
なお、撮影時に背景移動装置２６を作動させて、背景カーテン３３を前後方向に素早く移動させることができる。この場合、該撮影によって取得される撮影画像の背景は、拡大または縮小する方向にぼやけた背景となるから、ダイナミックな背景を有する撮影画像を取得することができる。
【００８１】
例えば、鮫が口を大きく開けた背景カーテン３３を、撮影時に前方に素早く移動させることにより、利用者が今にも鮫に襲われるかのような撮影画像を取得することができる。また、走行中の自動車を正面からとらえた写真を背景とする背景カーテン３３を、撮影時に後方に素早く移動させることにより、利用者があたかも自動車より速く走っているかのような撮影画像を取得することができる。
【００８２】
そして、再び撮影を行なう場合には、ステップＳ１０に戻って上記の処理動作を繰返し、撮影を終了する場合には、次の処理動作に進む（Ｓ１４）。
【００８３】
次に、複数回の撮影により取得された複数の撮影画像の中から落書きなどの編集処理を行なう撮影画像の選択を行なう（Ｓ１５）。これにより、撮影時に目をつぶってしまったり、不本意な状態で撮影されたりした撮影画像などを排除して、利用者の好みにあった画像を選択することができる。
【００８４】
次に、選択された撮影画像を編集表示パネル１６に表示し、タッチペン１７を用いて、撮影画像に対して色の変更、落書きなどの画像編集を行なう（Ｓ１６）。なお、背景カーテン３３が絵柄のないカーテン、すなわち単色無模様のカーテンである場合には、画像編集処理において背景画像を選択して撮影画像に合成する処理が行なわれることが望ましい。そして、別の撮影画像に対して画像編集を行なう倍には、ステップＳ１５に戻って上記の処理動作を繰返し、画像編集を終了する場合には、次に処理動作に進む（Ｓ１６）。
【００８５】
次に、プリント紙４４上での分割数または分割パターンを利用者に選択させ（Ｓ１７）、選択された分割領域ごとに、ステップＳ１６にて編集処理された編集画像が印刷されるように、プリンタ４２を制御して印刷を行なう（Ｓ１８）。このとき、利用者は、本体装置１１の側面に形成されたプリント排出口１９近くで、印刷されたプリント紙４４が排出されるまで待機する。その後、プリント排出口１９から印刷された写真プリントが排出されて、利用者のプレイ動作が終了する。
【００８６】
したがって、本実施形態の写真プリントシステム１０では、背景装置３２は、背景支持用レール３１・３１によって前後方向、すなわち、撮影装置１５に対する近接離反方向に移動可能に支持されている。背景装置３２を撮影装置１５に近づけると、絵柄を有する背景カーテン３３であれば、該絵柄の寸法が大きく撮影されることになる。また、背景カーテン３３が照明装置２２に近づくことになるから、背景カーテン３３の絵柄が明るく撮影されることになる。また、背景カーテン３３が利用者に近づくことになるから、背景カーテン３３からの反射光により、利用者が明るく撮影されることになる。
【００８７】
一方、背景装置３２を撮影装置１５から遠ざけると、絵柄を有する背景カーテン３３であれば、該絵柄の寸法が小さく撮影されることになる。また、背景カーテン３３が照明装置２２から遠ざかることになるから、背景カーテン３３の絵柄が暗く撮影されることになる。
【００８８】
このように、背景装置３２を撮影装置１５に対して近接離反方向に移動することにより、従来よりも多種多様な撮影画像を取得することができる。
【００８９】
なお、本実施形態では、背景として屈曲可能なカーテンを用いているが、剛体のパネルなどを用いることもできる。さらに、ＬＥＤ、ＬＣＤなどを用いて、背景画像を表示する背景表示装置をパネルに設けることもできる。この場合、カーテンなどの背景幕を利用する場合に比べて、多種多様な背景を表示することができる。
【００９０】
〔実施の形態２〕
次に、本発明の別の実施形態について図５〜図８に基づいて説明すれば、以下のとおりである。本実施形態の写真プリントシステムは、図１に示される写真プリントシステム１０に比べて、背景手段となる構成と、背景支持手段となる構成とが異なり、その他の構成は同様である。なお、なお、上記実施形態で説明した構成と同様の機能を有する構成には、同一の符号を付して、その説明を省略する。
【００９１】
本実施形態では、本体装置１１および支持枠３０の上部には、複数の背景支持用カーテンレール５０…がほぼ等間隔で架設されている。また、本実施形態では、背景装置は、布状の背景カーテン５２と、背景カーテン５２の上部に、背景支持用カーテンレール５０…に対応するように取り付けられた留め具５１…とを備える構成である。
【００９２】
各留め具５１は、対応する背景支持用カーテンレール５０を移動するランナー（図示せず）に取り付けられている。これにより、留め具５１…が背景支持用カーテンレール５０…に沿って前後方向に移動できるので、背景カーテン５２を前後方向、すなわち、撮影装置１５に対して近接離反する方向に移動することができる。
【００９３】
さらに、背景カーテン５２は、布状であるので、留め具５１の周りに屈曲させることができる。図６および図７は、本実施形態において実現可能な背景カーテン５２および留め具５１…の配置例を示している。なお、図６および図７では、背景カーテン５２および留め具５１…の配置を理解しやすくするために、背景支持用カーテンレール５０…を省略している。
【００９４】
図６では、背景カーテン５２を留め具５１…の周りで屈曲させることなく、前後方向に対して所定の角度で配置されている。この場合、照明装置２２と背景カーテン５２との距離は、右側では近く、左側では遠くなっている。また、左側の利用者１３ｂは、右側の利用者１３ａよりも後ろに位置することができる。これにより、右側の利用者１３ａとその周囲の背景とが明るく撮影され、左側の利用者１３ｂとその背景とが暗く撮影されることになり、遠近感のある撮影画像を取得することができる。
【００９５】
さらに、背景カーテン５２の絵柄を、等間隔で均一な網目模様とした場合、右側の網目が大きく、左側の網目が小さく撮影されることになり、奥行きの表現された背景となり、さらに遠近感のある撮影画像を取得することができる。
【００９６】
また、背景カーテン５２の絵柄を、右側の網目が大きく、左側に進むにつれて網目が小さくなるような網目模様とした場合、さらに遠近感を強調した撮影画像を取得することができる。
【００９７】
また、背景カーテン５２の絵柄を、左側の網目が大きく、右側に進むにつれて網目が小さくなるような網目模様とした場合、遠近感を混乱させるような撮影画像を取得することができる。
【００９８】
このように、背景カーテン５２を前後方向に垂直な方向から傾斜させて配置することにより、撮影画像に遠近感を持たせたり、あるいは遠近感を混乱させたりすることができる。
【００９９】
図７では、中央部の留め具５１を前方に、左右の留め具５１…を後方に配置している。これにより、背景カーテン５２は、中央部の留め具５１…の周りで屈曲させた形状となっている。この場合、右側の照明装置２２ａは、右側の利用者１３ｃに照射し、左側の照明装置２２ｂは、左側の利用者１３ｄに照射することになる。したがって、各照明装置２２で光の照射量を相違させることにより、左右で明るさの異なる撮影画像を取得することができる。これにより、例えば、利用者１３ｃ・１３ｄどうしの人間関係や、心理状態の相違などを表現することができる。
【０１００】
その他、中央部の留め具５１を後方に、左右の留め具５１…を前方に配置し、中央に利用者１３が位置すれば、利用者１３が背景カーテン５２に挟まれた状態の撮影画像を取得することができる。
【０１０１】
このように、各留め具５１を背景支持用カーテンレール５０に沿って自由に移動させることにより、さらに多種多様な背景と利用者との写りを表現することができる。
【０１０２】
図８は、本実施形態において、利用者が背景装置の位置および形状を選択するために編集表示パネル１６に表示される背景設定画面を示している。なお、本実施形態では、図３に示される背景設定処理（Ｓ１０）と撮影設定処理（Ｓ１１）とを同時に行なっている。
【０１０３】
背景設定画面の右側には、背景カーテン５２の大まかな位置および形状を記載したボタンが配置されている。これらのボタンを利用者１３が選択することにより、簡便に背景カーテン５２の位置および形状を決定して、背景移動装置２６により移動させることができる。
【０１０４】
また、背景設定画面の左側には、写真プリントシステムを上面から見た画像が示されており、留め具５１…の位置を示す「○」の部分をタッチペン１７で触れて、画面の上下方向に移動させることにより、留め具５１の位置を利用者１３の好みに変更することができる。さらに、利用者の位置を同様に入力する機能を有することができる。これにより、利用者１３に対して最適な撮影を行なうように撮影装置１５および照明装置２２・２２を調整することができる。
【０１０５】
また、背景設定画面の中央には、撮影装置１５からのライブビュー映像が表示されており、実際の映像を確認しながら、背景および利用者１３の位置を調整することができる。
【０１０６】
そして、背景カーテン５２の位置および形状が決定されれば、「撮影開始」ボタンを押すことにより、カウントダウンの後に撮影が実行される。なお、画面の左下隅などに撮影の残り時間を表示することが望ましい。
【０１０７】
したがって、本実施形態の写真プリントシステムは、背景カーテン５２を留め具５１…の位置にて屈曲させることにより、背景カーテン５２の絵柄を種々に変化させることができるから、さらに多種多様な撮影画像を取得することができる。
【０１０８】
なお、本実施形態では、背景として屈曲可能なカーテンを用いているが、剛体のパネルなどを複数用い、留め具５１…において屈曲可能に接続する構成とすることもできる。さらに、各パネルに上述のような背景表示装置を配備することもできる。
【０１０９】
〔実施の形態３〕
次に、本発明のさらに別の実施形態について図９および図１０に基づいて説明すれば、以下のとおりである。本実施形態の写真プリントシステムは、図１に示される写真プリントシステム１０に比べて、背景手段となる構成と、背景支持手段となる構成とが異なり、その他の構成は同様である。なお、なお、上記実施形態で説明した構成と同様の機能を有する構成には、同一の符号を付して、その説明を省略する。
【０１１０】
本実施形態では、図９および図１０に示されるように、背景となる背景スクリーン６３が巻回される巻取り用ローラ６０・６０が床１２の後部に回動可能に固定されている。一方の巻取り用ローラ６０から出た背景スクリーン６３は、多数の表示用ローラ６２…に張り渡されて他方の巻取り用ローラ６０に巻き取られている。
【０１１１】
表示用ローラ６２…は、前後方向に移動可能に支持されている。この支持手段としては、例えば、図５に示される背景支持用カーテンレール５０…と同様に、前後方向に等間隔で多数の背景支持用上部レールが配備され、床１２には、前後方向に等間隔で多数の溝孔が開設され、該溝孔の中に多数の背景支持用下部レールが配備されたものが挙げられる。各表示用ローラ６２は、対応する背景支持用上部レールおよび下部レールに移動可能に支持されることにより、前後方向に移動することができる。
【０１１２】
また、巻取り用ローラ６０・６０と表示用ローラ６２との間には、背景スクリーン６３の弛みを防止するためのテンションローラ６１・６１が配備されている。弛み度を検出するセンサ（図示せず）が背景スクリーン６３の弛みを検出した場合には、テンションローラ６１が外側に移動することにより弛みを防止する。なお、テンションローラ６１・６１は、バネにより外側に引っ張られる構成であってもよい。
【０１１３】
また、背景スクリーン６３の上部には、図１０に示されるように、背景の位置、順番、背景の内容などが磁気的に記録された磁気記録テープ６４が配備されている。この磁気記録テープ６４を図示しない読取装置で読み取ることにより、背景スクリーン６３の中から適切な背景を適切な表示位置に表示することができる。
【０１１４】
したがって、本実施形態においても、背景を前後方向に移動させることができるから、多種多様な撮影画像を取得することができる。また、表示用ローラ６２…を独立して移動させることにより、第２実施形態と同様に背景を多様に変化させることができるから、さらに多種多様な撮影画像を取得することができる。
【０１１５】
なお、背景装置の前方に、光を反射・屈折・回折させる光屈曲装置を配備すれば、さらに多種多様な撮影画像を取得することができる。この場合、光屈曲装置も背景装置と同様に前後方向に移動可能に設けられることが望ましい。
【０１１６】
【発明の効果】
以上のように、本発明の写真プリントシステムは、被写体の背景となる背景手段と、該背景手段を、上記撮影手段に対する近接離反方向に移動可能に支持する背景支持手段とを備える構成である。
【０１１７】
これにより、背景手段における模様の寸法や明るさを変化させることができるから、従来に比べてさらに多種多様な撮影画像を取得できるという効果を奏する。
【０１１８】
さらに、本発明の写真プリントシステムは、以上のように、上記の構成において、上記背景支持手段は、上記背景手段を、上記近接離反方向に対し垂直または所定の角度をなすように保持する構成である。
【０１１９】
これにより、背景手段を上記近接離反方向に移動させても、背景手段と、近接離反方向とのなす角度が保持されるから、背景手段の背景の絵柄が歪むことを防止する効果を奏する。
【０１２０】
さらに、本発明の写真プリントシステムは、以上のように、上記の構成において、上記背景支持手段は、上記背景手段を複数の支持位置にて屈曲可能に支持する構成である。
【０１２１】
これにより、背景手段の背景を支持位置にて上記近接離反方向に屈曲させることにより、背景手段の背景の絵柄を歪ませることができるから、被写体の背景をさらに多種多様に変えることができるという効果を奏する。
【０１２２】
さらに、本発明の写真プリントシステムは、以上のように、上記の構成において、上記背景手段を上記近接離反方向に移動させる背景移動手段をさらに備える構成である。
【０１２３】
これにより、利用者が背景手段を手動で移動させる必要はなくなる効果を奏する。特に、撮影時に背景手段を移動させることにより、前後方向に動きのある背景を表現できるので、ダイナミックな背景を有する撮影画像を取得できるという効果を奏する。また、背景手段がシート状または布状のものであれば、波打った背景とすることができ、さらに多種多様な撮影画像を取得できるという効果を奏する。
【０１２４】
さらに、本発明の写真プリントシステムは、以上のように、上記の構成において、上記背景手段の位置を検出する背景位置検出手段をさらに備える構成である。
【０１２５】
これにより、撮影手段におけるしぼり、シャッタスピードなどの設定や、照明手段における光量などの設定を背景手段の位置に応じて調整することにより、適切な撮影画像を取得できるという効果を奏する。
【０１２６】
さらに、本発明の写真プリントシステムは、以上のように、上記の構成において、上記被写体の位置を検出する被写体位置検出手段をさらに備える構成である。
【０１２７】
これにより、移動手段を備える場合には、背景手段を被写体に添わせるように移動できるという効果を奏する。また、背景位置検出手段を備える場合には、背景手段および被写体の手段を検出できるから、さらに適切な撮影画像を取得できるという効果を奏する。
【０１２８】
また、本発明の写真プリントシステムの制御方法は、以上のように、上記撮影手段による撮影時に上記背景手段を上記近接離反方向に移動させるように背景移動手段を制御している。
【０１２９】
これにより、前後方向に動きのある背景を表現でき、ダイナミックな背景を有する撮影画像を取得できるという効果を奏する。また、背景手段がシート状または布状のものであれば、背景手段を近接離反方向に振動させると、波打った背景とすることができ、さらに多種多様な撮影画像を取得できるという効果を奏する。
【０１３０】
また、本発明の写真プリントシステムの制御方法は、以上のように、上記被写体の位置または利用者の選択に基づいて上記背景手段の配置位置を決定し、決定された配置位置に上記背景手段を移動するように上記背景移動手段を制御している。
【０１３１】
これにより、利用者は、被写体の位置を決定したり、簡単な選択を行なったりすることで、背景手段を自動的に配置することができるから、背景手段の配置を迅速に行なうことができるので、撮影処理、画像編集処理など、他の処理を行なう時間を圧迫することを回避できるという効果を奏する。
【０１３２】
また、本発明の写真プリントシステムの制御方法は、以上のように、上記背景手段の位置が決定されると、上記撮影手段および上記背景手段の距離に基づいて、上記撮影手段の露光に関する設定、および／または上記照明手段の照明設定を変更するように制御している。
【０１３３】
これにより、背景手段を撮影手段に近づけても、撮影時に撮影手段に入射される光を適切な量とすることができ、良好な撮影を行なうことができるという効果を奏する。
【０１３４】
なお、上記の写真プリントシステムの制御方法を写真プリントシステムの制御プログラムとしてコンピュータに実行させることができる。さらに、上記写真プリントシステムの制御プログラムをコンピュータ読取り可能な記録媒体に記憶させることにより、任意のコンピュータ上で上記写真プリントシステムの制御方法を実行させることができる。
【０１３５】
また、本発明のプリント紙ユニットは、以上のように、上記の写真プリントシステムに用いられるプリント紙ユニットであって、画像が印刷されるプリント紙と、上記プリント紙に関する識別情報を記録する識別媒体とを備え、上記写真プリントシステムに備えられた識別情報読取手段によって、上記識別媒体に記録されている識別情報が読み取られ、その内容が確認された上で上記プリント紙に画像が出力される構成である。
【０１３６】
これにより、写真プリントシステムにおいて指定されているプリント紙以外は使用できないように設定することが可能となるという効果を奏する。
【０１３７】
また、識別情報に用紙枚数情報を含ませることによって、プリント紙を使用するごとに用紙枚数をカウントダウンすることにより、残りの用紙枚数を把握することが可能となるという効果を奏する。
【０１３８】
また、識別情報に用紙種類情報を含ませることによって、これらを考慮して画像データの色成分などを補正することにより、その用紙やインクフィルムに的確な画像出力を行なうことが可能となるという効果を奏する。
【図面の簡単な説明】
【図１】本発明の一実施形態である写真プリントシステムの概要を示す斜視図である。
【図２】本実施形態における本体装置の背面の外観を示す斜視図である。
【図３】本実施形態の写真プリントシステムの概略構成を示すブロック図である。
【図４】本実施形態の写真プリントシステムにおける処理の流れを示すフローチャートである。
【図５】本発明の別の実施形態である写真プリントシステムの概要を示す斜視図である。
【図６】本実施形態における背景装置の配置例を示す平面図である。
【図７】本実施形態における背景装置の別の配置例を示す平面図である。
【図８】本実施形態において、利用者が背景装置の位置および形状を選択するための表示画面の例を示す図である。
【図９】本発明のさらに別の実施形態である写真プリントシステムの概要を示す平面図である。
【図１０】本実施形態における背景装置の概要を示す斜視図である。
【符号の説明】
１０　　写真プリントシステム
１１　　本体装置
１３　　利用者（被写体）
１５　　撮影装置（撮影手段）
１８　　プリント出力装置（画像出力手段）
２６　　背景移動装置（背景移動手段）
３０　　支持枠（背景支持手段）
３１　　背景支持用レール（背景支持手段）
３２　　背景装置（背景手段）
３３・５２　　背景カーテン（背景手段）
３４　　カーテンレール（背景手段）
４２　　プリンタ（画像出力手段）
４３　　ＩＤタグリーダ／ライタ（識別情報読取手段）
４４　　プリント紙
４５　　ＩＤタグ（識別媒体）
５０　　背景支持用カーテンレール（背景支持手段）
５１　　留め具（背景手段）
６２　　表示用ローラ（背景手段）
６３　　背景スクリーン（背景手段）
【図１】
2004061773.tif 000003
【図２】
2004061773.tif 000004
【図３】
2004061773.tif 000005
【図４】
2004061773.tif 000006
【図５】
2004061773.tif 000007
【図６】
2004061773.tif 000008
【図７】
2004061773.tif 000009
【図８】
2004061773.tif 000010
【図９】
2004061773.tif 000011
【図１０】
2004061773.tif 000012